(57)【要約】  無線高解像度マルチメディアのインターフェイス（ＨＤＭＩ）システム内で、一時的なケーブル（４２、１  １４）を介してペアリング情報が自動的に交換される。その後、テーブルの接続が切られ、（ディスクプレーヤなどの）ＨＤＭＩのソース（１２、９８）がＡ／Ｖ  ＨＤＭＩを（ＨＤＴＶなどの）シンク（１４、１０２）へ無線で送信する。【選択図】図１
2011514693.tif 000002
【特許請求の範囲】
【請求項１】
データソース（１２）からのオーディオ／ビデオ（Ａ／Ｖ）情報を無線送信するための無線送信機アセンブリ（２０、８６）にケーブル（４２、１１４）を接続するステップと、
前記ソースからの情報を表示するためのシンク装置（１４、８２）にＡ／Ｖ情報を提供するために使用されようとしている無線受信機アセンブリ（２２、８４）に前記ケーブルを接続するステップと、
アセンブリへの通電に応答して、前記ケーブルを介して前記送信機アセンブリ及び受信機アセンブリにペアリング情報を自動的に交換させるステップと、
前記ペアリング情報を使用して、前記送信機アセンブリから無線通信経路を介して前記受信機アセンブリへ情報を送信するための接続を確立するステップと、
を含むことを特徴とする方法。
【請求項２】
前記接続する行為により、無線通信構成要素の有線インターフェイスの一時的な再定義が確立されてペアリング情報及び関連する共有秘密キーが交換される、
ことを特徴とする請求項１に記載の方法。
【請求項３】
ペアリング情報の交換後に前記ケーブル（４２、１１４）の接続を切り、その後前記アセンブリに前記無線通信経路（４０）のみを介して互いに通信させるステップを含む、
ことを特徴とする請求項１に記載の方法。
【請求項４】
少なくとも１つの有線インターフェイスが業界標準プロトコルに従って接続されておらず、従って前記インターフェイスをペアリング情報の交換に使用可能であることを検出するステップを含む、
ことを特徴とする請求項２に記載の方法。
【請求項５】
前記有線インターフェイスが、高解像度マルチメディアインターフェイス（ＨＤＭＩ）である、
ことを特徴とする請求項２に記載の方法。
【請求項６】
少なくとも一部のペアリング情報が、前記ケーブル（４２、１１４）のコンシューマエレクトロニクスコントロール（ＣＥＣ）バス、前記ケーブル（４２、１１４）のインターインテグレーティッドサーキット（Ｉ２Ｃ）バスの少なくとも一方を介して交換される、
ことを特徴とする請求項５に記載の方法。
【請求項７】
前記アセンブリの少なくとも一方において、前記ペアリング情報がうまく交換されたことを示す可聴及び／又は視覚表示を提供するステップを含む、
ことを特徴とする請求項１に記載の方法。
【請求項８】
前記交換されるペアリング情報が、無線動作のための有効なパートナの一意のＩＤを含む、
ことを特徴とする請求項１に記載の方法。
【請求項９】
前記交換されるペアリング情報が、データのセキュアな無線交換に使用されるパートナ装置の公開鍵又はその他の共有秘密キーを含む、
ことを特徴とする請求項１に記載の方法。
【請求項１０】
前記ペアリング情報が、不揮発性メモリ（２８、３６、９６、１０８）に保存される、
ことを特徴とする請求項１に記載の方法。
【請求項１１】
前記不揮発性メモリが、２以上の有効なパートナのペアリング情報を含むことができる、
ことを特徴とする請求項１０に記載の方法。
【請求項１２】
前記不揮発性メモリが、ユーザ入力に応答して消去される、
ことを特徴とする請求項１０に記載の方法。
【請求項１３】
前記ペアリング情報が、少なくとも１つの高解像度コンテンツ保護（ＨＤＣＰ）鍵選択ベクトル（ＫＳＶ）を含む、
ことを特徴とする請求項１に記載の方法。
【請求項１４】
前記ペアリング情報が、前記送信機アセンブリの無線送信機に関連する少なくとも１つの公開鍵をさらに含む、
ことを特徴とする請求項１３に記載の方法。
【請求項１５】
前記自動的に行わせる行為が、
前記アセンブリの通電時に、前記送信機アセンブリに、無線ＨＤＭＩリピータを示す拡張ディスプレイ識別データ（ＥＤＩＤ）を前記送信機アセンブリに関連するメモリ（２８、９６）にロードさせるステップと、
前記送信機アセンブリに、コンシューマエレクトロニクスコントロール（ＣＥＣ）コマンドをモニタさせるステップと、
前記受信機アセンブリに、無線ＨＤＭＩリピータを示すＥＤＩＤをモニタさせ、前記受信機がこのようなＥＤＩＤを検出した場合、前記受信機に、前記ケーブルのＣＥＣバスを介して、制御信号接続を示す信号を送信させるステップと、
前記受信機アセンブリから制御信号接続を示す前記信号を受信したことに応答して、前記送信機アセンブリに、前記ケーブルを介して前記受信機アセンブリへ前記ペアリング情報を送信させるステップと、
を含むことを特徴とする請求項１に記載の方法。
【請求項１６】
ディスプレイ（１４、１０２）上に表示するためのＡ／Ｖを表す無線信号を受信するように構成されたオーディオ／ビデオ（Ａ／Ｖ）受信機アセンブリ（２２、８４）であって、
前記ディスプレイにとって有用な所定のＡ／ＶフォーマットでＡ／Ｖ信号を出力するように構成されたＡ／Ｖ出力装置（１８、１１０）と、
前記Ａ／Ｖ出力装置へＡ／Ｖ信号を送信する受信機コントローラ（３４、１０６）と、
送信機アセンブリ（２０、８６）から無線信号を受信し、前記シンクへの前記ソース（１２、９８）からのＡ／Ｖの無線通信に必要なペアリング情報が、前記受信機コントローラ及び送信機アセンブリによりケーブル（４２、１１４）を介して自動的に交換されるように構成された無線受信機（３８、８４）と、
を含むことを特徴とするオーディオ／ビデオ（Ａ／Ｖ）受信機アセンブリ。
【請求項１７】
前記アセンブリに前記ケーブルを接続して前記アセンブリに通電すると、前記ペアリング情報が受信される、
ことを特徴とする請求項１６に記載のＡ／Ｖ受信機アセンブリ。
【請求項１８】
前記所定のフォーマットが高解像度マルチメディアインターフェイス（ＨＤＭＩ）であり、
前記ケーブルを接続された前記アセンブリの通電時に、前記受信機アセンブリが、無線ＨＤＭＩリピータを示す前記送信機アセンブリからの拡張ディスプレイ識別データ（ＥＤｌＤ）をモニタし、
前記受信機コントローラがこのようなＥＤＩＤを検出した場合、前記受信機アセンブリが、前記ケーブルのＣＥＣバスを介して制御信号接続を示す信号を送信し、
受信機アセンブリが前記ケーブルを介して前記送信機アセンブリからペアリング情報を受信する、
ことを特徴とする請求項１６に記載のアセンブリ。
【請求項１９】
Ａ／Ｖのソース（１２、９８）からのＡ／Ｖを表す無線信号を送信するように構成されたオーディオ／ビデオ（Ａ／Ｖ）送信機アセンブリ（２０、８６）であって、
前記ソースから所定のＡ／ＶフォーマットのＡ／Ｖ信号を受信するように構成された受信機（２４、８８）と、
前記受信機からＡ／Ｖ信号を受信する送信機コントローラ（２６、９２）と、
前記送信機コントローラからシンク（１４、１０２）に関連する受信機アセンブリ（２２、８４）へ信号を無線送信するように構成された無線送信機（３０、９０）と、
を含み、前記シンクへの前記ソースからのＡ／Ｖの無線通信に必要なペアリング情報が、前記送信機コントローラにより前記受信機アセンブリからケーブル（４２、１１４）を介して自動的に受信される、
ことを特徴とするオーディオ／ビデオ（Ａ／Ｖ）送信機アセンブリ。
【請求項２０】
家庭用無線オーディオ／ビデオ（Ａ／Ｖ）システム（１０．８０）のエンドユーザに、
無線送信機アセンブリ（２０、８６）と無線受信機アセンブリ（２２、８４）との間にケーブル（４２、１１４）を接続し、
前記送信機アセンブリと受信機アセンブリとの間をペアリング情報が通過した旨の表示をモニタし、
前記ケーブルの接続を切り、
前記送信機アセンブリを使用して、ソース（１２、９８）からのＡ／Ｖを前記受信機アセンブリに関連するシンク（１４、１０２）へ送信する、
ように指示するステップを含むことを特徴とする方法。
【発明の詳細な説明】
【技術分野】
【０００１】
本発明は、一般に、無線オーディオ／ビデオ（Ａ／Ｖ）送信システム内でペアリング情報を交換することに関し、より具体的には、無線高解像度マルチメディアインターフェイス（ＨＤＭＩ）システム内で一時的な配線を介してペアリング情報を交換することに関する。
【背景技術】
【０００２】
接続が配線を介して行われている場合、マルチメディアシステム内でどのような装置が接続されているかについての曖昧さは無い。しかしながら、無線装置の接続には、有効な／許可された通信の組み合わせを特定する手段が必要となる。個々の装置は、正当なパートナを認識するとともに、高価値コンテンツの保護に使用される共有秘密キーを有していなければならない。通常、このペアリング情報は工場において遺伝的インプリントとして確立され、或いはこれを現場における採用手順の一部として行なうことができる。
【発明の概要】
【発明が解決しようとする課題】
【０００３】
工場における堅固なペアリングは現場修理を困難にするとともに複数のペアリングのサポートを不可能にする場合がある。エンドユーザの手動によるペアリングは、複雑、厄介、面倒であるとともに人為的ミスを生じる可能性がある。手動によるペアリングは、セキュリティ上の漏洩も起こしやすい。あらゆるペアリングが、ＨＤＣＰと同じくらいセキュアなプロセスでなければならない。
【課題を解決するための手段】
【０００４】
Ａ／Ｖストリームをソースからシンクへ通信できるようにするためのペアリング情報をエンドユーザが手動で設定する必要性を除去する方法を提供する。この方法は、個々の装置上で有線インターフェイスを一時的に再定義することを伴う。無線システムが、この有線インターフェイスを介してシステム上で再び接続される。個々の装置は、「異常な」有線接続を認識してペアリング情報の交換を開始する。装置が無線で動作中の場合、この情報を使用して有効なパートナを認識する。この情報は、簡単に偽造できないパートナＩＤ及びセキュアなデータ交換のための共有秘密キーを含む。
【０００５】
有線接続がＨＤＭｌである場合、ＨＤＭＩ特性を使用して「異常な」接続を識別し、潜在的なペアリングのパートナを認証することができる。この異常な接続は、通常の動作にはそぐわないＥＤＩＤデータ及び実環境では無効なＣＥＣトポロジを含むことができる。
【０００６】
従って、Ａ／Ｖストリームをソースからシンクへ通信できるようにするためのペアリング情報をエンドユーザが手動で設定する必要性を除去する方法が、無線高解像度マルチメディアインターフェイス（ＨＤＭＩ）送信機アセンブリにケーブルを接続するステップと、無線ＨＤＭＩ受信機アセンブリにケーブルを接続するステップとを含む。無線ＨＤＭｌ送信機アセンブリは、ＨＤＭＩデータのソースからのオーディオ／ビデオ（Ａ／Ｖ）情報を無線ＨＤＭＩ受信機アセンブリへ無線で送信するように構成され、無線ＨＤＭＩ受信機アセンブリは、ＨＤＭＩ情報を表示できるシンク装置にこのソースからのＡ／Ｖを提供する。アセンブリの通電に応答して、送信機アセンブリ及び受信機アセンブリがケーブルを介してペアリング情報を自動的に交換するようになる。ケーブルを取り外し、ソース／シンク構成要素を、例えばエンドユーザの家庭内の所望の永住場所に配置することができる。その後、ペアリング情報を使用して、送信機アセンブリから無線通信経路を介して受信機アセンブリへＨＤＭＩ  Ａ／Ｖ情報を送信する。いくつかの実施形態では、ペアリング情報をうまく交換できたことを示す可聴及び／又は視覚表示をアセンブリ上に提供することができる。
【０００７】
非限定的な実施構成では、ケーブルのコンシューマエレクトロニクスコントロール（ＣＥＣ）バスを介していくつかのペアリング情報を交換することができる。インターインテグレーティッドサーキット（Ｉ２Ｃ）バスを介していくつかのペアリング情報を交換することもできる。非限定的なペアリング情報は、高解像度コンテンツ保護（ＨＤＣＰ）鍵選択ベクトル（ＫＳＶ）を含むことができる。ペアリング情報は、送信機アセンブリの無線送信機に関連する公開鍵をさらに含む。
【０００８】
非限定的な特定の実施形態では、アセンブリの通電時に、送信機アセンブリに、無線ＨＤＭＩリピータを示す拡張ディスプレイ識別データ（ＥＤＩＤ）を送信機アセンブリに関連するメモリにロードさせることにより、ペアリング情報の自動交換を行なうことができる。送信機アセンブリは、コンシューマエレクトロニクスコントロール（ＣＥＣ）コマンドをモニタし、受信機アセンブリは、無線ＨＤＭＩリピータを示すＥＤＩＤをモニタする。受信機は、このようなＥＤＩＤを検出した場合、ケーブルのＣＥＣバスを介して制御信号接続を示す信号を送信する。受信機アセンブリから制御信号接続を示す信号を受信したことに応答して、送信機アセンブリは、ケーブルを介して受信機アセンブリへペアリング情報を送信する。
【０００９】
別の態様では、オーディオ／ビデオ（Ａ／Ｖ）受信機アセンブリが、ディスプレイ上に表示するためにＡ／Ｖを表す無線信号を受信するように構成される。受信機アセンブリは、ディスプレイにとって有用な所定のＡ／ＶフォーマットでＡ／Ｖ信号を出力するように構成された送信機を含む。受信機アセンブリは、送信機へＡ／Ｖ信号を送信する受信機コントローラをさらに含む。また、受信機アセンブリは、送信機アセンブリから無線信号を受信するように構成された無線受信機を有し、この無線受信機が受信機コントローラへ信号を送信する。ソースからシンクへのＡ／Ｖの無線通信に必要なペアリング情報が、受信機コントローラ及び送信機アセンブリにより自動的にケーブルを介して交換される。
【００１０】
さらに別の態様では、オーディオ／ビデオ（Ａ／Ｖ）受信機アセンブリが、Ａ／ＶのソースからのＡ／Ｖを表す無線信号を送信するように構成される。送信機アセンブリは、ソースから所定のＡ／ＶフォーマットでＡ／Ｖ信号を受信するように構成された受信機を含む。送信機コントローラが受信機からＡ／Ｖ信号を受信し、無線送信機が、送信機コントローラからシンクに関連する受信機アセンブリへ信号を無線で送信するように構成される。ソースからシンクへのＡ／Ｖの無線通信に必要なペアリング情報が、送信機コントローラによって受信機アセンブリから自動的にケーブルを介して受信される。
【００１１】
このペアリング情報の有線交換は、両装置が有線ＨＤＭｌ受信機のみを有する場合にも行われる。受信機がテレビに埋め込まれ、追加入力のために有線ＨＤＭＩしか存在しない場合がこれに当てはまる。
【００１２】
同様の数字が同様の要素を示す添付図面を参照することにより、本発明の詳細をその構造及び動作の両方に関して最も良く理解することができる。
【図面の簡単な説明】
【００１３】
【図１】本原理による非限定的なシステムのブロック図である。
【図２】本明細書で開示するタンジブルコンピュータ可読媒体の１又はそれ以上において全て又は一部を具体化できる本発明の高レベル論理のフロー図である。
【図３】本明細書で開示するタンジブルコンピュータ可読媒体の１又はそれ以上において全て又は一部を具体化することができる、本発明の実施形態に基づいて使用できる非限定的な論理のフロー図である、
【図４】本原理による別の非限定的なシステムのブロック図である。
【発明を実施するための形態】
【００１４】
最初に図１を参照すると、以下に限定されるわけではないが、ディスクプレーヤ、プロジェクタなどのソース１２からのオーディオ／ビデオ（Ａ／Ｖ）情報を、限定的な意味ではないが、Ａ／Ｖを表示するためのＨＤＴＶなどのシンク１４へ無線で送信するためのシステムを大まかに１０で示している。いくつかの実施形態では、Ａ／Ｖが、ＨＤＣＰ暗号化を採用するＨＤＭＩを使用することができ、この場合、ソース１２をＨＤＭＩ送信機１６に関連付けることができる一方で、シンク１４をＨＤＭＩ受信機１８に関連付けることができる。送信機１６をソース１２のシャーシ内に組み込むことができ、或いはこれを別個のモジュールとすることができる。同様に、受信機１８をシンク１４のシャーシ内に組み込むことができ、或いはこれを別個のモジュールとすることができる。
【００１５】
ソースからシンクへのＨＤＭＩの通信をサポートするためにＨＤＭＩリピータを設けることができ、このＨＤＭＩリピータは、送信機側リピータ半割部２０及び受信機側リピータ半割部２２を含むことができる。通常、送信機側リピータ半割部２０は、ソースのＨＤＭＩ送信機１６からＨＤＭＩフォーマットのＡ／Ｖストリームを受信するためのＨＤＭＩ受信機を含む。ＨＤＭＩ受信機２４は、通常シンクのＥＤＩＤ内のデータを反映するために使用される「ソフト」拡張ディスプレイ識別データ（ＥＤｌＤ）装置を含むことができる。或いは、このソフトＥＤＩＤを、ＨＤＭＩ受信機２４からデータを受信する送信機コントローラ２６上に、又は、以下に限定されるわけではないが、送信機コントローラ２６がアクセスできる固体メモリなどのタンジブルコンピュータ可読媒体２８内に含めることができる。送信機コントローラ２６は、デジタルマイクロコントローラであってもよい。いずれにせよ、送信機コントローラ２６は、受信機側リピータ半割部２２へデータを送信するために、無線送信機３０へデータを出力する。
【００１６】
ここで受信機側リピータ半割部２２を参照すると、ＨＤＭＩフォーマット化された信号をシンクのＨＤＭＩ受信機１８へ送信するためのＨＤＭＩ送信機３２が実際に設けられている。受信機側リピータ半割部２２のＨＤＭＩ送信機３２は、以下に限定されるわけではないが、固体メモリなどのタンジブルコンピュータ可読媒体３６にアクセスできる受信機コントローラ３４からデータを受信する。同様に、受信機コントローラ３４は無線受信機３８からデータを受信し、この無線受信機３８は、図示のように無線順方向通信リンク４０を介して無線送信機３０と通信する。
【００１７】
リピータ半割部２０、２２は、それぞれのソース１２及びシンク１４と合体していてもよく、或いはこれらとは別個のモジュールであってもよい。
【００１８】
本明細書で理解されるように、リンク４０を介した無線順方向通信は、受信機側２２と送信機側２０との間で特定のペアリング情報を交換することを必要とする場合がある。エンドユーザが両装置にペアリング情報を手動で入力することを避けるために、また、通常はペアリング情報の一部である必要な暗号化キーを交換する前に情報を無差別に無線交換することを避けるために、図示のように、送信機及び受信機リピータ側２０、２２に、ソース／シンク装置の代わりに一時的なＨＤＭＩケーブル４２を接続することができる。これは、エンドユーザが２０、２２側の一方を他方の隣へ移動させ、ケーブル４２を接続することにより容易に行なうことができ、下記の論理が完了した後にケーブルの接続を切って、リピータ側２０、２２を住居内の所望の永住場所に設置する。
【００１９】
図示のように、ＨＤＭＩケーブル４２は、３つのバス、すなわちＨＤＭＩデータを交換できるようにするデータバス、及び２つのペアリング情報バスと見なすことができるバスを含むことができる。具体的には、ケーブル４２は、コンシューマエレクトロニクスコントロール（ＣＥＣ）バス及びインターインテグレーティッドサーキット（Ｉ２Ｃ）バスを含むことができる。
【００２０】
図１の説明の最後に簡潔に開示すると、一方又は両方のリピータ半割部２０、２２は、以下に限定されるわけではないが、送信機リピータ半割部２０に設けられた発光ダイオード（ＬＥＤ）４４及び受信機リピータ半割部２２に設けられたＬＥＤ４６などのそれぞれの可聴及び／又は視覚インジケータを含むことができる。
【００２１】
図２は全体の論理を示している。ブロック４８から開始して、ケーブル４２が両リピータ半割部２０、２２に接続され、これらのリピータ半割部が通電される。ブロック５０において、その後の無線リンク４０を介した無線通信に必要なペアリング情報がケーブル４２を介して交換される。その後、ケーブルの接続を切り、無線リンク４０をリピータ半割部２０、２２間の、従ってソース１２とシンク１４との間の唯一の通信リンクとして独占的に使用することができる。エンドユーザにこの論理を実行するように指示し、ペアリング情報の交換が問題がなく完了したら表示を行って（例えば、両ＬＥＤ４４、４６を照明して）、エンドユーザが、ケーブルを取り外して無線通信を確立し、リピータ半割部２０、２２を使用してソース１２からシンク１４へＡ／Ｖを送信できることがわかるようにすることができる。
【００２２】
図３は、いくつかの実施形態で実施できる詳細な論理を示している。ブロック５２から開始して、ケーブル４２が両リピータ半割部２０、２２に接続され、これらのリピータ半割部２０、２２が通電される。ブロック５４において自動的に、すなわちさらなるユーザアクションを伴わずに、送信機コントローラ２６がケーブル４２の存在を検出し、これに応答して特別なアイデンティティを有するソフトＥＤＩＤをロードする。この特別なアイデンティティは、ペアリング情報交換が完了した場合のようなディスプレイ装置のアイデンティティでなく、無線リピータを示すアイデンティティである。その後、ブロック５６において、送信機コントローラ２６が無線受信機を求めて無線検索を開始するとともに、ＣＥＣコマンドをモニタする。
【００２３】
判定区画５８において、無線受信機が発見され認識された場合、ブロック６０において通常の無線モード動作が開始する。この特別なアイデンティティのための試験は、１つの実施構成ではＥＤＩＤ  ＲＯＭ内で示される装置タイプを示す。この特別なアイデンティティの検出を使用して、本発明の１つの実施構成のペアリングプロセスを起動する。ＥＤＩＤのアイデンティティは装置に特有のものではなく、トリガのためのフラグである。万が一別の装置のためのペアリング情報が先に存在していても中断はない。
【００２４】
より具体的には、受信機及び送信機の両方に複数の有効なペアリングが考えられる。各々の有効なパートナの情報がテーブル内に保存される。通常の無線動作中、テーブル内の装置からのあらゆる接続提案が作動を許可される。
【００２５】
例えば、居間で使用するために１対の装置を購入することができる。（これらは、既に工場でペアリングされているか、又は本発明を使用して現場でペアリングすることができる。消費者が寝室内で使用するために第２のシステムを購入するとする。その後、本原理を使用して、すでに居間にある装置の有効なパートナとすべく新たに購入した装置をペアリングする。複数のペアリング後、居間の送信機からのコンテンツを寝室で閲覧することができ、この逆もまた可能である。しかしながら、隣接するアパート内の装置を有効なパートナとして確立することはできず、また無線データ交換に参加することができないという利点も有する。
【００２６】
従って、判定区画５８からブロック６０への分岐は、検出された無線受信機とペアリング情報が交換された後に行われ、このことは、ペアリング情報がまだ交換されていなければ、プロセスは判定区画５８からブロック６２へ分岐して本原理の非限定的な実施形態を実行することを意味する。
【００２７】
ブロック６２において、受信機コントローラ３４が、電源投入時にホットプラグハンドシェークをモニタしてシンクの存在を検出する。ブロック６４において、受信機コントローラ３４はまた、送信機のソフトＥＤＩＤ内のソフトＥＤＩＤアイデンティティも読み込む。判定区画５８の場合と同様に、判定区画６６において、ペアリング情報がすでに交換され、ソフトＥＤＩＤ内のディスプレイアイデンティティが読み込まれていれば、ブロック６０において通常の無線動作が開始する。しかしながら、判定区画６６において受信機コントローラ３４が特別なアイデンティティを読み取った場合、処理はブロック６８へ移動し、受信機コントローラ３４が、（ケーブル４２のＣＥＣバスなどを介して）送信機コントローラ２６に現在の逆のペアリングモードが存在する旨を警告する。１つの実施構成では、受信機コントローラ３４から送信機コントローラ２６へ、「ディスプレイ」の装置アドレスを使用して特別ＣＥＣコマンド、すなわち通常の（無線）動作モード中には無効となるはずのコマンドを送信することにより、この警告を行なうことができる。
【００２８】
コマンドの検出に応答して、ブロック７０において、送信機コントローラ２６がペアリング情報の交換を開始する。１つの実施構成では、送信機コントローラ２６が、（ＣＥＣバス及びＩ２Ｃバスの一方又は両方を使用して）ケーブル４２を介して受信機コントローラ３４へ以下の情報、すなわち送信機コントローラ２６のＨＤＭＩ鍵選択ベクトル（ＫＳＶ）、無線（すなわち、無線送信機３０の）の一意の識別コード、及び所望であれば公開鍵を送信する。これらの値は、受信機コントローラ３４によって受信機ハーフメモリ３６などの永続メモリ内に記憶される。
【００２９】
その後、ブロック７２において、受信機コントローラ３４が、ケーブル４２を介してミラーペアリング情報を送信機コントローラ２６へ送信し、送信機コントローラ２６が送信機側メモリ２８内などに情報を記憶する。ペアリング情報の交換が問題がなく完了すると、ブロック７４においてエンドユーザにこの旨を示す可聴表示又は視覚表示を提供し、エンドユーザが、ケーブル４２の接続を切って、図１の構成要素をユーザの住居の所望の場所に配置し、ソース１２とシンク１４との間で通常モードの無線通信を確立できることがわかるようにする。
【００３０】
代替の実施形態では、個々の装置２０、２２上のリセットボタンをモニタすることができ、これが閾値時間よりも長く押された場合には、既存のペアリング情報がメモリ２８、３６から消去される。値のリセットがなければ、個々の逆のペアリングにより、許可済みの無線通信パートナのリストに別の登録が追加される。このリストは、個々の装置内に含まれる有効なパートナのテーブルを示す。一意の装置による個々のペアリングプロトコルの実行により、テーブルに別の登録が最大許容数まで追加される。リセットボタンを押し続けることにより、やり直しのためにテーブルを消去することができる。
【００３１】
図４は、ＴＶ８２などのシンク内に無線リンクを組み込んだ代替のシステム８０を示している。図示のように、無線送信機アセンブリ８６から無線Ａ／Ｖ信号を受信する無線受信機８４がＴＶシャーシ内でサポートされる。アセンブリ８６は、送信機コントローラ９２を介して無線送信機９０へプレーンテキストで信号を送信するＨＤＭｌ受信機８８を含むことができ、この送信機アセンブリ８６は、上述の送信機アセンブリ２０と実質的に同一のものであってもよい。従って、この送信機アセンブリ８６は、上記原理に従って機能するＬＥＤ９４及びコンピュータ可読媒体９６を含むことができ、ＨＤＭＩ送信機１００を有することができる高解像度ビデオのソース９８から信号を受信することができる。
【００３２】
ＴＶ８２に無線受信機８４が組み込まれているので、図示のように無線受信機とＴＶディスプレイ１０２との間に介在するＨＤＭＩステージを設ける必要はない。その代わりに、セレクタ１０４が、（図示のようにコンピュータ可読媒体１０８を含む受信機コントローラ１０６に関連付けることができる）受信機８４、テレビチューナ、及びＨＤＭＩ受信機１１０などの間で選択を行って、これらの入力のうちの１つからのＡ／ＶをＴＶディスプレイ１０２などのシンク上に表示することができる。受信機側ＬＥＤ１１２を設けて、上記原理に従って機能させることもできる。
【００３３】
送信機アセンブリ８６のＨＤＭｌ受信機８８とＴＶ８２のＨＤＭＩ受信機１１０との間に本原理による逆の有線接続部１１４が一時的に接続され、ペアリング情報を交換すべく上記原理に従って機能するようにされる。
【００３４】
従って、本明細書に示す様々な実施形態では、ペアリングすべき個々の装置上で有線インターフェイスを一時的に使用してペアリング情報を交換する。通常、これらの有線インターフェイスは、通常動作のための正式な業界標準プロトコルを有しており、この標準から外れて本原理に従って使用される。２つの基本的な実施構成の変形例、すなわち、インライン無線リピータ（図１）及び埋込み型無線受信機（図４）を含むディスプレイ装置について上述した。図１のインラインリピータでは、有線出力部が有線入力部にループバックされのに対し、図４の埋込み型無線受信機では、無線送信機の有線入力部が、通常はディスプレイ用の代替入力部として使用されるディスプレイ上の有線接続部に接続される。
【００３５】
本動作を要約すると、通電時に装置が（ＣＥＣ上の２つのディスプレイなどの）無効な有線トポロジを検出して、「逆接続」を疑い、この場合、（ＣＥＣなどを介して）「仕様外」のコマンドとみなすことができるものを使用して「逆接続」が存在することを確認する。この目的のために、任意に（ＨＤＣＰのＫＳＶ値などの）有線インターフェイスの特長を使用して潜在的なパートナを確認することができる。その後、（ＣＥＣ又はＩ２Ｃなどの）有線インターフェイスを使用してペアリング情報を交換する。無効な有線トポロジを発見できずに正常接続を示す場合、ペアリング情報を使用して無線動作を行い、無線接続を確立する。
【００３６】
本明細書では、特定の無線ＨＤＭｌにおけるペアリング情報の有線交換について図示し詳細に説明したが、本発明に含まれる主題は特許請求の範囲によってのみ限定されることを理解されたい。
【符号の説明】
【００３７】
１０  システム
１２  高解像度Ａ／Ｖソース
１６  ＨＤＭＩ送信機
２０  送信機側リピータ半割部
２４  ＨＤＭＩ受信機、
２６  送信機コントローラ
２８  メモリ
３０  無線送信機
４０  無線順方向通信リンク
４２  一時的ＨＤＭＩケーブル
【図１−１】
2011514693.tif 000003
【図１−２】
2011514693.tif 000004
【図２】
2011514693.tif 000005
【図３−１】
2011514693.tif 000006
【図３−２】
2011514693.tif 000007
【図４−１】
2011514693.tif 000008
【図４−２】
2011514693.tif 000009
【国際調査報告】
2011514693.tif 000010